(57)【要約】【課題】  化粧パネルに形成された吸込口に、同吸込口を覆う開閉パネルを設けてインテリア性を向上させる一方、運転時に開閉パネルがショートサーキット現象を的確に防げるようにして空調効率を向上させた天井埋込形空気調和機を提供することを目的とする。【解決手段】  化粧パネル２の四側周縁には、吹出口９、１０、１１及び１２が対称形となるように形成されており、吸込口３には、同吸込口３を開閉する台形状に形成された第一開閉パネル４、第二開閉パネル５、第三開閉パネル６及び第四開閉パネル７が設けられている。これら第一開閉パネル４、第二開閉パネル５、第三開閉パネル６及び第四開閉パネル７は、運転時に吸込口３を開くとともに、吹出される空気の偏向を補助的に行ない、また、吹出口９、１０、１１及び１２から吹出される熱交換された空気が再び吸込口３に吸込まれてしまうショートサーキット現象を防止できるようになっている。【選択図】図２
2013194930.tif 000002
【特許請求の範囲】
【請求項１】
送風ファン及び熱交換器を内部に配設し、天井面と天井裏壁面との間に吊り下げ設置される外郭筐体と、同外郭筐体の下面に装着され、天井面を覆う化粧パネルとからなり、同化粧パネルの中央部に矩形状の吸込口を設けるとともに、同吸込口の各辺に対応して、風向板を備えた吹出口を4箇所設けてなる天井埋込形空気調和機において、
前記吸込口に、同吸込口の周縁と対角線とで区画された4箇所の領域の形状に対応した4枚の開閉パネルを設けるとともに、同開閉パネルの前記吸込口の周縁側となる夫々の一辺に、駆動機構により駆動される回動軸を設け、同回動軸を中心として前記開閉パネルが前記吸込口側に回動した際、同開閉パネルが前記吸込口を覆うことを特徴とする天井埋込形空気調和機。
【請求項２】
前記開閉パネルが夫々台形状に形成されるとともに、前記吸込口の中央部には矩形状に形成された中央座が設けられ、前記開閉パネルの夫々の先端部と前記中央座の周縁とが夫々接するようにして前記開閉パネルが閉じられることを特徴とする請求項１に記載の天井埋込形空気調和機。
【請求項３】
前記開閉パネルが前記吹出口側に回動し停止した際、前記開閉パネルの先端部の停止位置は、前記吸込口の垂直方向であって下方への投影領域外に位置することを特徴とする請求項１に記載の天井埋込形空気調和機。
【発明の詳細な説明】
【技術分野】
【０００１】
本発明は、天井埋込形空気調和機に関わり、より詳細には化粧パネルに備えられた吸込口の構成に関するものである。
【背景技術】
【０００２】
天井埋込形空気調和機は、天井面と天井裏壁面との間に吊り下げ設置された外郭筐体と、同外郭筐体の下面に装着され、中央部に吸込口となる吸込グリルを備えた化粧パネルとで構成されている。化粧パネルは室内の天井面開口を覆うとともに、周囲に風向偏向板を備えた吹出口を形成しており、吸込グリルと吹出口とを結ぶ空気流路には、ファンモータにより駆動される遠心ファンと、同遠心ファンを囲むように熱交換器が配設されている。吸込グリルから吸込まれた室内の空気は遠心ファンにより熱交換器に送出され、これを通過して冷媒と熱交換された後、吹出口から再び室内に送出されるようになっている。
【０００３】
通常、吸込口となる吸込グリルは多数の桟から形成されるか、あるいは格子状に形成されている。天井面に配置された多数の桟あるいは格子状に形成された吸込グリルは使用者の目に触れ易く、これらが天井面と相違することから違和感を感じさせ室内のインテリア性を損なう虞があった。
【０００４】
上述した問題に対処すべく、特許文献１で示す天井埋込形空気調和機は、化粧パネルの吸込口に左右に開く２枚の開閉ダンパを設けている。開閉ダンパは主に換気機能を作動させる際に用いられるが、運転停止時には吸込口を覆うことにより、吸込口と天井面との一体感を感じさせることができるようになっている。
【０００５】
特許文献２で示す天井埋込形空気調和機は、化粧パネルの形成された吸込口に、同吸込口を開閉できる開閉パネルを設けている。運転停止時、開閉パネルは吸込口を覆い使用者の目に触れないようにしてインテリア性を高めるようになっている。また、運転時には開閉パネルは垂直状に本体内に引き上げられるか、Ｖ字状に傾斜して吸込口を開くようになっている。
【０００６】
天井埋込形空気調和機では、吸込口の周縁に形成された吹出口から吹出される熱交換された空気が直接吸込口に吸込まれてしまう所謂、ショートサーキット現象が生じた際、空調効率の低下を招く虞があるが、前述した特許文献１の２枚の開閉ダンパでは、４箇所の設けられた吸込口に対応することができずショートサーキット現象を防止することができなかった。また、特許文献２における、運転時に本体内に収納される開閉パネルでは遮風機能を備えていない為、ショートサーキット現象を助長する虞があった。
【先行技術文献】
【特許文献】
【０００７】
【特許文献１】特開２００１−２２７７７２号（３頁、図１）
【特許文献２】特開２００７−３０３７９９号（５頁、図４）
【発明の概要】
【発明が解決しようとする課題】
【０００８】
本発明は、上記問題点に鑑み、化粧パネルに形成された吸込口に、同吸込口を覆う開閉パネルを設けてインテリア性を向上させる一方、化粧パネルの周囲に形成された４箇所の吹出口に、吸込口に設けられた開閉パネルが夫々対応して、ショートサーキット現象を的確に防ぎ空調効率を向上させた天井埋込形空気調和機を提供することを目的とする。
【課題を解決するための手段】
【０００９】
本発明は、上記課題を解決するため、送風ファン及び熱交換器を内部に配設し、天井面と天井裏壁面との間に吊り下げ設置される外郭筐体と、同外郭筐体の下面に装着され、天井面を覆う化粧パネルとからなり、同化粧パネルの中央部に矩形状の吸込口を設けるとともに、同吸込口の各辺に対応して、風向板を備えた吹出口を4箇所設けてなる天井埋込形空気調和機において、前記吸込口に、同吸込口の周縁と対角線とで区画された4箇所の領域の形状に対応した4枚の開閉パネルを設けるとともに、同開閉パネルの前記吸込口の周縁側となる夫々の一辺に、駆動機構により駆動される回動軸を設け、同回動軸を中心として前記開閉パネルが前記吸込口側に回動した際、同開閉パネルが前記吸込口を覆う構成となっている。
【００１０】
また、前記開閉パネルが夫々台形状に形成されるとともに、前記吸込口の中央部には矩形状に形成された中央座が設けられ、前記開閉パネルの夫々の先端部と前記中央座の周縁とが夫々接するようにして前記開閉パネルが閉じられる構成となっている。
【００１１】
また、前記開閉パネルが前記吹出口側に回動し停止した際、前記開閉パネルの先端部の停止位置は、前記吸込口の垂直方向であって下方への投影領域外に位置する構成となっている。
【発明の効果】
【００１２】
本発明によれば、運転停止時には、複数の開閉パネルが吸込口を覆うことにより、天井面に位置する吸込口と天井面との間に一体感を感じさせて、室内のインテリア性が向上するようになっている。
【００１３】
また、吸込口に設けられた中央座により、開閉パネルが閉じた際、開閉パネルの夫々の先端部でのズレを目立たなくさせることができるようになっている。
【００１４】
また、開閉パネルが開いた際、開閉パネルの先端部の停止位置が吸込口より吹出口側に位置することにより、吸込口に吸入される空気量を充分確保できる一方、開いた開閉パネルが、吹出口から吹出された空気が吸込口に直接吸込まれるショートサーキット現象を防止するようになっている。
【図面の簡単な説明】
【００１５】
【図１】本発明による天井埋込形空気調和機を示す外観斜視図である。
【図２】吸込口に備えられた開閉パネルを開いた状態を示す外観斜視図である。
【図３】本発明による天井埋込形空気調和機を示す断面図である。
【図４】開閉パネルの駆動構造を示す平面図及び斜視図である。
【図５】運転時における開閉パネルの動作を示す説明図である。
【発明を実施するための形態】
【００１６】
以下、本発明の実施の形態を、添付図面に基づいた実施例として詳細に説明する。
【実施例１】
【００１７】
本発明による天井埋込形空気調和機は、図１の外観斜視図で示すように、後述する天井面４１と天井裏壁面４０との間に吊り下げ設置された多角形状の外郭筐体１と、同外郭筐体１の下面に装着され室内の天井面を覆う化粧パネル２とで構成されている。外郭筐体１の外壁面には取付金具１９が複数取付けられるとともに、図示しない室外機と配管接続される冷媒流入管２１ａ及び冷媒流出管２１ｂが導出されている。
【００１８】
化粧パネル２の中央部には矩形状に形成された吸込口３が設けられ、また、化粧パネル２の四側周縁には、長方形状に形成され、風向板９ａを備えた吹出口９と、風向板１０ａを備えた吹出口１０と、風向板１１ａを備えた吹出口１１及び風向板１２ａを備えた吹出口１２が対称配置となるように形成されている。吸込口３には、夫々台形状に形成された第一開閉パネル４、第二開閉パネル５、第三開閉パネル６及び第四開閉パネル７が設けられており、これら開閉パネルで吸込口３は開閉されるようになっている。また、吸込口３の中央部には、矩形状に形成された中央座８が設けられており、夫々台形状に形成された第一開閉パネル４、第二開閉パネル５、第三開閉パネル６及び第四開閉パネル７が吸込口３を閉じた際、これらの先端部と中央座８の周縁とが接するようになっている。中央座８を設けないと、第一開閉パネル４、第二開閉パネル５、第三開閉パネル６及び第四開閉パネル７の先端部が吸込口３の中央で接することになるが、これら開閉パネル間で位置ズレが生じた場合、先端部でのズレが目立ってしまう虞がある。中央座８を設けることにより、開閉パネル先端部間に相互のズレが多少生じたとしても、先端部が互いに接しないので、ズレを目立たなくさせることができるようになっている。
【００１９】
第一開閉パネル４、第二開閉パネル５、第三開閉パネル６及び第四開閉パネル７は下面が化粧パネル２と同様に、平坦面に形成されており、運転停止時には、これら第一開閉パネル４、第二開閉パネル５、第三開閉パネル６及び第四開閉パネル７が吸込口３を覆うことにより、使用者に対し吸込口３と天井面４１との間に一体感を感じさせ、室内のインテリア性が向上するようになっている。
【００２０】
冷暖房運転時には、図２に示すように、吸込口３に設けられた第一開閉パネル４、第二開閉パネル５、第三開閉パネル６及び第四開閉パネル７が吸込口３側から吹出口９、１０、１１及び１２側に向かって夫々回動し、吸込口３を開くようになっている。室内の空気は開放された吸込口３に吸込まれ、後述する熱交換器１６を通過して冷媒と熱交換され、化粧パネル２の四側周縁に形成された吹出口９、１０、１１及び１２から室内に吹出されるようになっている。尚、吸込口３内部には空気中に含有される塵埃を除去するフィルタ１３が設けられているが、吸込口３とフィルタ１３の間には、手指の侵入を防止する図示しないグリルが設けられている。
【００２１】
次に、内部構成について説明する。図３で示す断面図は図１におけるＡ−Ａ断面を示している。多角形状に形成され下面が開放された外郭筐体１は、同外郭筐体１の側面に複数備えられた取付金具１９を天井裏壁面４０に埋め込まれた複数の吊りボルト２０に螺着させることにより、天井裏壁面４０と天井面４１との間に支持されている。外郭筐体１の下面に装着される化粧パネル２は樹脂材から形成され、天井面４１に設けられた開口部４１ａを覆うとともに、周囲に風向板９ａを備えた吹出口９と、風向板１１ａを備えた吹出口１１と、図示はしていないが、風向板を夫々備えた吹出口１０及び吹出口１２を形成している。
【００２２】
化粧パネル２の中央部には吸込口３が設けられ、上述したように同吸込口３には、回動軸４ｂを吸込口３の周縁側に備えた第一開閉パネル４と、回動軸６ｂを吸込口３の周縁側に備えた第三開閉パネル６と、図示はしていないが、回動軸を夫々備えた第二開閉パネル５及び第四開閉パネル７が設けられている。
【００２３】
化粧パネル２の裏面には、不織布等からなり吸込口３から吸込まれた空気に含有される塵埃を吸着するフィルタ１３が着脱自在に装着され、吸込口３と吹出口９、１０、１１及び１２を結ぶ空気流路には吸込口３から吸込まれた空気を後述する遠心ファン１４に導く円環状に形成されたベルマウス１８と、外郭筐体１の内壁に取付けられたファンモータ１５の回転軸１５ａに連結され、回転駆動されることにより、下方から吸込んだ空気を円周方向に吹出す遠心ファン１４と、同遠心ファン１４を囲むように熱交換器１６が配設されている。同熱交換器１６は平行に並べられた多数のフィンと、同フィンに直交するように蛇行状に配設された伝熱管とからなるフィンチューブ型熱交換器である。また、熱交換器１６の下方には樹脂材からなる断熱材１７が設けられている。同断熱材１７の上面には熱交換器１６から滴下する凝縮水を受け貯留する凹部となった露受部１７ａが形成される一方、下面には、後述する夫々の開閉パネルを駆動する駆動機構を収納する凹部となった駆動機構収納部１７ｂが形成されている。
【００２４】
吸込口３から吸込まれた室内の空気はフィルタ１３により塵埃を除去され、遠心ファン１４により熱交換器１６に向かい送出される。熱交換器１６を通過した空気は冷媒と熱交換され、風向板９ａ、風向板１１ａ等により吹出方向を偏向されながら吹出口９、１０、１１及び１２から室内に吹出されるようになっている。
【００２５】
次に、吸込口３に設けられた第一開閉パネル４、第二開閉パネル５、第三開閉パネル６及び第四開閉パネル７の駆動機構について説明する。図４（Ａ）の平面図及び図４（Ｂ）の吸込口３側から見た斜視図に示すように、前述した露受皿１７下面に形成された駆動機構収納部１７ｂには、減速機構を備えた駆動用モータ２２と、同駆動用モータ２２の近傍に配置された軸受２４と、複数の中間軸受２５とが配置されている。また、矩形状に形成された駆動機構収納部１７ｂの夫々の角部には、第一自在継手２３ａと、第二自在継手２３ｂと、第三自在継手２３ｃが夫々配置されている。これら自在継手は一方に連結された回動軸の回転を、直交する他方に連結された回動軸に伝達するものである。また、駆動用モータ２２と軸受２４及び複数の中間軸受２５は凹部となった駆動機構収納部１７ｂに固定されるようになっている。
【００２６】
第一開閉パネル４の回動軸４ｂの一端は駆動用モータ２２に連結され、他端は第一自在継手２３ａに連結されている。第二開閉パネル５の回動軸５ｂの一端は第一自在継手２３ａに連結され、他端は第二自在継手２３ｂに連結されている。第三開閉パネル６の回動軸６ｂの一端は第二自在継手２３ｂに連結され、他端は第三自在継手２３ｃに連結されている。また、第四開閉パネル７の回動軸７ｂの一端は第三自在継手２３ｃに連結され、他端は軸受部２４に連結されている。また、回動軸４ｂ、回動軸５ｂ、回動軸６ｂ及び回動軸７ｂは複数の中間軸受２５によって回動自在に軸支されるようになっている。
【００２７】
前述したように、駆動用モータ２２に連結された第一開閉パネル４の回動軸４ｂは、第一自在継手２３ａ、第二自在継手２３ｂ及び第三自在継手２３ｃにより第二開閉パネル５の回動軸５ｂ、第三開閉パネル６の回動軸６ｂ及び第四開閉パネル７の回動軸７ｂに連結されていることにより、第一開閉パネル４の回動軸４ｂが駆動用モータ２２により駆動され、第一開閉パネル４が回動すると、連動して第二開閉パネル５、第三開閉パネル６及び第四開閉パネル７が第一開閉パネル４と同方向に回動するようになっている。
【００２８】
次に、第一開閉パネル４、第二開閉パネル５、第三開閉パネル６及び第四開閉パネル７の動作について説明する。第三開閉パネル６で図示するが、他の開閉パネルも同様である。図５に示すように冷暖房運転時には、吹出口１１に備えられた風向板１１ａが、同風向板１１ａの下端が吸込口３の反対側となるように傾斜する。第三開閉パネル６及び他の開閉パネルも同様に吸込口３を開く一方、傾斜した状態で固定されるようになっている。つまり、夫々の開閉パネル４、５、６及び７の先端部停止位置が、吸込口３の垂直方向であって下方への投影領域外に位置している。
【００２９】
吸込口３から吸込まれた室内の空気はフィルタ１３により塵埃を除去された後、遠心ファン１４により熱交換器１６に向かい送出され冷媒と熱交換されるようになっている。熱交換された空気は風向板１１ａにより流れ方向を外周側に向かう斜め方向に偏向され吹出口１１から吹出されるようになっている。
【００３０】
また、吸込口３より吹出口９、１０、１１及び１２側に傾斜した状態の第一開閉パネル４、第二開閉パネル５、第三開閉パネル６及び第四開閉パネル７は、吹出口９、１０、１１及び１２から吹出される空気の吹出方向の偏向を補助的に行なうとともに、吹出口９、１０、１１及び１２から吹出される熱交換された空気が再び吸込口３に吸込まれてしまうショートサーキット現象を防止するようになっている。これにより、室内の空調効率が向上するようになっている。
【００３１】
以上、説明したように、運転停止時には、天井面に設けられた天井埋込形空気調和機の吸込口３を、平坦面状に形成された第一開閉パネル４、第二開閉パネル５、第三開閉パネル６及び第四開閉パネル７が覆うことにより、天井面４１と吸込口３との間に違和感がなくなり室内のインテリア性が向上するようになっている。また、運転時には、吸込口３を開いた第一開閉パネル４、第二開閉パネル５、第三開閉パネル６及び第四開閉パネル７の先端部停止位置が、吸込口３の垂直方向であって下方への投影領域外に位置することにより、吸込口３に吸入される空気量を充分に確保できる一方、開いた開閉パネルが吹出口９、１０、１１及び１２から吹出される空気に対し補助的な風向偏向を行なうとともに、吹出口９、１０、１１及び１２から吹出される空気が直接吸込口３に吸込まれるショートサーキット現象を的確に防止して空調効率を向上させることができるようになっている。
【符号の説明】
【００３２】
１  外郭筐体
２  化粧パネル
３  吸込口
４  第一開閉パネル
５  第二開閉パネル
６  第三開閉パネル
７  第四開閉パネル
４ｂ、５ｂ、６ｂ、７ｂ  回動軸
８  中央座
９，１０，１１，１２  吹出口
９ａ、１０ａ，１１ａ，１２ａ  風向板
１３  フィルタ
１４  遠心ファン
１５  ファンモータ
１５ａ  回転軸
１６  熱交換器
１７  断熱材
１７ａ  露受部
１７ｂ  駆動機構収納部
１８  ベルマウス
１９  取付金具
２０  吊りボルト
２１ａ  冷媒流入管
２１ｂ  冷媒流出管
２２  駆動用モータ
２３ａ  第一自在継手
２３ｂ  第二自在継手
２３ｃ  第三自在継手
２４  軸受部
４０  天井裏壁面
４１  天井面
４１ａ  開口部
【図１】
2013194930.tif 000003
【図２】
2013194930.tif 000004
【図３】
2013194930.tif 000005
【図４】
2013194930.tif 000006
【図５】
2013194930.tif 000007